(57)【要約】【課題】容器本体に充填された液体商品を注ぎやすく、こぼしにくい注出口部材を提供する。【解決手段】ＬＬＤＰＥによって形成された中空体であり、スパウトの口部に装着される装着部１１と、装着部１１に連設された略円錐状の口部本体１２とから構成されている。装着部１１の外周面には、軸方向に延びる多数の凹条１１ａからなるローレットが形成されており、内周面にはスパウト付きパウチ容器のスパウトの口部外周面に形成された雄ねじと螺合する雌ねじ１１ｂが形成されている。口部本体１２は基端部側から大径ストレート部１２ａ、テーパ部１２ｂ及び小径ストレート部１２ｃを備えている。小径ストレート部１２ｃには軸芯から放射状に延びる３本の切れ目１３が形成されており、口部本体１２の小径ストレート部１２ｃにおける切れ目１３によって分割された部分が、口部本体１２の径方向外側にそれぞれ弾性変形することによって開口するようになっている。【選択図】        図１
2012188147.tif 000002
【特許請求の範囲】
【請求項１】
液体内容物が充填される容器本体に直接または他の部材を介して取り付けられる注出口部材であって、
前記容器本体または前記他の部材に装着される装着部と、
前記装着部に連設された先細の口部本体とを備え、
前記口部本体の先端部には、軸芯から放射状に延びる複数の切れ目が形成されており、
前記口部本体の先端部における前記切れ目によって分割された部分が、前記口部本体の径方向外側に弾性変形することによって開口するようになっていることを特徴とする注出口部材。
【発明の詳細な説明】
【技術分野】
【０００１】
この発明は、例えば、ボトル容器に詰め替えるための洗剤、消臭剤、トイレタリー等の液体商品を充填するスパウト付きパウチ容器のスパウト自体や、使用時に、スパウト付きパウチ容器のスパウト部分またはボトル容器の口部に取り付けるアダプタとして使用することができる注出口部材に関する。
【背景技術】
【０００２】
例えば、ボトル容器に詰め替えるための洗剤等の液体商品を充填するスパウト付きパウチ容器としては、図７に示すようなものがある。このスパウト付きパウチ容器５０は、同図（ａ）、（ｂ）に示すように、柔軟性シートによって袋状に形成されたボトムガセットタイプのパウチ５１と、このパウチ５１の上縁部に装着された、注口となる口部５２ａをスクリューキャップ５２ｂによって開閉することができるスパウト５２とを備えており、こういったスパウト付きパウチ容器５０に充填された詰替用の液体商品をボトル容器等に移し替える際は、図７（ｂ）に示すように、スパウト５２の口部５２ａを閉塞しているスクリューキャップ５２ｂを外し、図８に示すように、容器全体を徐々に傾けながら、スパウト５２の口部５２ａをボトル容器６０の口部６１の上端縁に沿わせるようにして、液体商品をスパウト５２の口部５２ａからボトル容器６０の口部６１に注ぎ入れることになる。
【先行技術文献】
【特許文献】
【０００３】
【特許文献１】特開２００６−２０６１５９号公報
【発明の概要】
【発明が解決しようとする課題】
【０００４】
しかしながら、柔軟性シートによって形成されたパウチは保形性が低いので、特に、液体商品の粘性が低い場合、スクリューキャップを外した状態では、スパウトの口部から溢れやすく、液体商品を正規の容器に移し替える前にこぼしてしまうといった問題があると共に、液体商品を移し替えようとする正規の容器の口部が小さい場合は、注ぎづらいといった問題もある。
【０００５】
そこで、この発明の課題は、容器本体に充填された液体商品を注ぎやすく、こぼしにくい注出口部材を提供することにある。
【課題を解決するための手段】
【０００６】
上記の課題を解決するため、請求項１に係る発明は、液体内容物が充填される容器本体に直接または他の部材を介して取り付けられる注出口部材であって、前記容器本体または前記他の部材に装着される装着部と、前記装着部に連設された先細の口部本体とを備え、前記口部本体の先端部には、軸芯から放射状に延びる複数の切れ目が形成されており、前記口部本体の先端部における前記切れ目によって分割された部分が、前記口部本体の径方向外側に弾性変形することによって開口するようになっていることを特徴とする注出口部材を提供するものである。
【０００７】
なお、本発明の注出口部材には、パウチ等の容器本体に固定的に装着されるスパウトとして使用されるものや、液体商品を抽出する際に、そういったスパウトに着脱自在に取り付けるアダプタ等が含まれる。
【発明の効果】
【０００８】
以上のように、請求項１に係る発明の注出口部材は、口部本体の先端部が先細になっているので、容器の口部に差し込むような状態で注出することができ、液体商品を移し替えようとする容器の口部が小さい場合でも注ぎやすい。
【０００９】
また、先細の口部本体の先端部における切れ目によって分割された部分が、口部本体の径方向外側に弾性変形することによって開口するようになっており、液体商品が充填されている容器本体を握って、口部本体の先端に内圧をかけなければ、注出口が閉じた状態に保持されるので、容器本体に充填されている液体商品をこぼしにくく、液だれも起こしにくい。
【図面の簡単な説明】
【００１０】
【図１】（ａ）はこの発明に係る注出口部材の一実施形態であるアダプタを示す平面図、（ｂ）は同上のアダプタを側面側から視た部分縦断面図である。
【図２】（ａ）〜（ｃ）は同上のアダプタの使用方法を説明するための説明図である。
【図３】同上のアダプタをスパウト付きパウチ容器のスパウトの口部に取り付けた状態を示す斜視図である。
【図４】スパウトの口部に同上のアダプタを取り付けたスパウト付きパウチ容器に充填された液体商品を容器に移し替える様子を示す斜視図である。
【図５】同上のアダプタにおける注出口の開口状態を示す斜視図である。
【図６】同上のアダプタの変形例を示す部分断面図である。
【図７】（ａ）は一般的なスパウト付きパウチ容器を示す斜視図、（ｂ）は同上のスパウト付きパウチ容器におけるスクリューキャップを外した状態を示す斜視図である。
【図８】同上のスパウト付きパウチ容器に充填された液体商品をボトル容器に移し替える様子を示す斜視図である。
【発明を実施するための形態】
【００１１】
以下、実施の形態について図面を参照して説明する。図１は、詰替用の洗剤、消臭剤、トイレタリー等の液体商品が充填されたスパウト付きパウチ容器のスクリューキャップによって開閉するスパウトの口部に取り付けるアダプタ１を示している。
【００１２】
このアダプタ１は、直鎖状低密度ポリエチレン（ＬＬＤＰＥ）によって形成された中空体であり、図１（ａ）、（ｂ）に示すように、スパウトの口部に装着される装着部１１と、この装着部１１に連設された略円錐状の口部本体１２とから構成されている。
【００１３】
前記装着部１１の外周面には、軸方向に延びる多数の凹条１１ａからなるローレットが形成されており、内周面には、スパウト付きパウチ容器のスパウトの口部外周面に形成された雄ねじと螺合する雌ねじ１１ｂが形成されている。
【００１４】
前記口部本体１２は、基端部側から、大径ストレート部１２ａ、テーパ部１２ｂ及び小径ストレート部１２ｃを備えており、大径ストレート部１２ａ及び小径ストレート部１２ｃとテーパ部１２ｂとの間には、それぞれ段部が形成されている。
【００１５】
前記大径ストレート部１２ａ及びテーパ部１２ｂは、それぞれ均一の肉厚を有しているが、小径ストレート部１２ｃは、基端部であるテーパ部１２ｂとの境界部分が最も薄肉で先端に向かって徐々に厚肉になっていると共に、軸芯から放射状に延びる３本の切れ目１３が形成されており、口部本体１２の小径ストレート部１２ｃにおける切れ目１３によって分割された部分が、口部本体１２の径方向外側にそれぞれ弾性変形することによって開口するようになっている。
【００１６】
以上のように構成されたアダプタ１は、以下のようにして使用される。まず、図２（ａ）に示すように、詰替用の液体商品が充填されたスパウト付きパウチ容器２を購入した者が、液体商品を正規の容器に移し替える際、同図（ｂ）に示すように、パウチ２１の上縁に装着されたスパウト２２のスクリューキャップ２２ａを外して、スパウト２２の口部２２ｂを露出させ、同図（ｃ）に示すように、スパウト２２の口部２２ｂにアダプタ１の装着部１１をねじ込むことで、図３に示すように、アダプタ１をスパウト２２の口部２２ｂに取り付ける。
【００１７】
そして、このようにしてアダプタ１を取り付けたスパウト付きパウチ容器２を、図４に示すように、アダプタ１における口部本体１２の小径ストレート部１２ｃを容器Ｖの口部Ｍに差し込んだ状態でパウチ２１を握って、口部本体１２の小径ストレート部１２ｃに内圧をかけると、図５に示すように、小径ストレート部１２ｃの切れ目１３によって分割された部分が外側に押圧され、最も薄肉である小径ストレート部１２ｃとテーパ部１２ｂとの境界部分を基点として、口部本体１２の径方向外側にそれぞれ弾性変形することによって注出口が開口し、液体商品が容器Ｖ内に注ぎ入れられる。
【００１８】
以上のように、このアダプタ１は、口部本体１２の先端部が先細になっているので、容器Ｖの口部Ｍに差し込むような状態で注出することができ、詰替用の液体商品を移し替えようとする容器Ｖの口部Ｍが小さい場合でも注ぎやすいという効果が得られる。
【００１９】
また、このアダプタ１は、口部本体１２の小径ストレート部１２ｃにおける切れ目１３によって分割された部分が、口部本体１２の径方向外側に弾性変形することによって開口するようになっており、液体商品が充填されているパウチ２１を握って、口部本体１２の小径ストレート部１２ｃに内圧をかけなければ、注出口が開口されることがないので、アダプタ１は、口部本体１２の小径ストレート部１２ｃを容器Ｖの口部Ｍに沿わすようにセットするまでの間にパウチ２１に充填されている液体商品をこぼしにくく、注出後の液だれも起こしにくい。
【００２０】
なお、上述したアダプタ１の場合、口部本体１２の小径ストレート部１２ｃは、基端部であるテーパ部１２ｂとの境界部分が最も薄肉で先端に向かって徐々に厚肉になっているが、これに限定されるものではなく、例えば、図６に示すように、先端の厚肉部ｔｃｐと基端側の薄肉部ｔｎｐとの間に段差を形成するようにしてもよい。
【００２１】
また、上述したアダプタ１は、直鎖状低密度ポリエチレン（ＬＬＤＰＥ）によって形成したが、これに限定されるものではなく、例えば、高密度ポリエチレン（ＨＤＰＥ）やポリプロピレン（ＰＰ）、これらのエラストマー、シリコーン等によって形成することも可能である。ただし、小径ストレート部１２ｃにおける切れ目１３によって分割された部分の弾性変形を考慮すると、弾性率が小さい直鎖状低密度ポリエチレンによって形成するほうが望ましい。
【００２２】
また、上述した実施形態では、小径ストレート部１２ｃを３本の切れ目１３によって３分割しているが、これに限定されるものではなく、液だれ等を防止することができるのであれば、小径ストレート部１２ｃの分割数は適宜設定すればよい。
【００２３】
また、上述した実施形態では、口部本体１２が、基端部側から、大径ストレート部１２ａ、テーパ部１２ｂ及び小径ストレート部１２ｃを備えているが、これに限定されるものではなく、先細であれば、中間部にテーパ部を設ける必要はなく、先端部の外形をテーパ状に形成することも可能である。
【００２４】
また、上述した実施形態では、口部本体１２の小径ストレート部１２ｃにおける切れ目１３によって分割された部分が口部本体１２の径方向外側に弾性変形しない状態では、小径ストレート部１２ｃの先端部に注出孔が形成されることはないが、これに限定されるものではなく、口部本体１２の小径ストレート部１２ｃにおける切れ目１３によって分割された部分が口部本体１２の径方向外側に弾性変形しない状態で、液漏れ等が発生しないのであれば、小径ストレート部１２ｃの先端部に予め、小孔を形成しておいてもよい。
【００２５】
また、上述した実施形態では、スパウト付きパウチ容器のスパウトの口部本体に着脱自在に取り付けるアダプタ１について説明したが、本発明の注出口部材は、ボトル容器の口部に取り付けるアダプタであってもよく、パウチに装着されるスパウトの口部に適用することもできる。特に、パウチに装着されるスパウトの口部を上述したアダプタ１の形態にする場合は、装着部１１の内周面に雌ねじ１１ｂを形成する必要はなく、多数の凹条１１ａからなるローレットに替えて、装着部１１の外周面に、スクリューキャップを取り付けるための外ねじを形成しておく必要がある。
【産業上の利用可能性】
【００２６】
本発明の注出口部材は、ボトル容器に詰め替えるための洗剤、消臭剤、トイレタリー等の液体商品を充填するスパウト付きパウチ容器のスパウト自体や、使用時に、スパウト付きパウチ容器のスパウト部分またはボトル容器の口部に取り付けるアダプタとして利用することができる。
【符号の説明】
【００２７】
１  アダプタ
２  スパウト付きパウチ容器
１１  装着部
１１ａ  凹条
１１ｂ  雌ねじ
１２  口部本体
１２ａ  大径ストレート部
１２ｂ  テーパ部
１２ｃ  小径ストレート部
１３  切れ目
２１  パウチ
２２  スパウト
２２ａ  スクリューキャップ
２２ｂ  口部
【図１】
2012188147.tif 000003
【図２】
2012188147.tif 000004
【図３】
2012188147.tif 000005
【図４】
2012188147.tif 000006
【図５】
2012188147.tif 000007
【図６】
2012188147.tif 000008
【図７】
2012188147.tif 000009
【図８】
2012188147.tif 000010